(57)【要約】【課題】記録形ＤＶＤやＣＤ-ＲＷ等の書き換え可能なディスク状記録媒体において、記録したコンテンツのインデックス情報を印字／消去できるようにし、従来のラベル貼着方式の不利不便を解消する。【解決手段】ＤＶＤ１１のリードイン領域とセンタホールの間の環状の印字領域１３を熱可逆性発色層で形成し、サーマルヘッドである印字ヘッド１２３aと消去ヘッド１２４aによって、記録データから得られるコンテンツ情報を前記印字領域１３に対して印字／消去する。熱可逆性発色層としては、高分子マトリックス中に高級脂肪酸等の有機低分子物質を分散させ、温度に依存して透明状態と白濁状態とが可逆的に変化する材料を用いることができる。【選択図】図３
2006099815.tif 000002
【特許請求の範囲】
【請求項１】
ディスク状記録媒体において、
その盤面に、一定温度以上に加熱して常温へ戻す度に発色状態と消色状態とを繰り返す熱可逆性発色層、又は所定範囲の波長の光を照射する度に発色状態と消色状態とを繰り返す光可逆性発色層からなる印字領域を形成した
ことを特徴とするディスク状記録媒体。
【請求項２】
テープ状記録媒体カセットにおいて、
その表面に、一定温度以上に加熱して常温へ戻す度に発色状態と消色状態とを繰り返す熱可逆性発色層、又は所定範囲の波長の光を照射する度に発色状態と消色状態とを繰り返す光可逆性発色層からなる印字領域を形成した
ことを特徴とするテープ状記録媒体カセット。
【発明の詳細な説明】
【技術分野】
【０００１】
本発明は、記録形ＤＶＤ（Digital Versatile Disk）（ＤＶＤ＋ＲＷ，ＤＶＤ−ＲＷ，ＤＶＤ＋Ｒ，ＤＶＤ−Ｒ等）やＣＤ-ＲＷ（Compact Disk Rewritable）等の書き換え可能なディスク状記録媒体、及びビデオテープカセット等のテープ状記録媒体カセットに係り、特に記録媒体に格納させたコンテンツの内容等を印字する方式の改良に関する。
【背景技術】
【０００２】
従来から、記録形ＤＶＤやＣＤ−ＲＷ等のディスク状記録媒体、ビデオテープ等のテープ状記録媒体に各種コンテンツを記録して保存・管理する際には、記録したコンテンツに関する表題や時間情報、出演者、ジャンル等の情報（以下、「コンテンツ情報」という）をラベルに手書きで記載するか、又はコンテンツ情報を専用の印刷装置でラベルに印刷し、そのラベルを、ディスク状記録媒体の場合にはディスクのリードイン領域と中央孔の間の環状領域に、またテープ状記録媒体の場合にはカセットの所定領域に貼着することにより、記録媒体に如何なるコンテンツが記録されているかを確認できるようにしている。
【０００３】
そして、例えば、下記特許文献１においては、ビデオテープカセット又はそのパッケージへ貼着する目的で、対象となる記録媒体に最適な幅のテープを用いて、所望のテープ状ラベルを簡単に且つ迅速に作成できるテープ状ラベル作成装置が提案されている。また、下記特許文献２では、ディスク状記録媒体の半径方向を主走査方向に設定した印刷ヘッドにより、ディスク状記録媒体を回転させながらその印刷面に所望の画像を印刷する回転印刷装置において、内外周速度差に起因した濃度むらが生じないようにして高品質な画像を印刷する方式が提案されている。
【特許文献１】特開平８−２５７１０号公報
【特許文献２】特開２０００−１２７５１６号公報
【発明の開示】
【発明が解決しようとする課題】
【０００４】
ところで、ＣＤ−Ｒ（Compact Disk Recordable）等のようにデータを一回だけ記録できる追記型光ディスクである場合には、記録されたコンテンツの変更が有り得ないために問題はないが、記録形ＤＶＤやＣＤ−ＲＷ又はビデオテープ等のように複数回の書き換えが可能な記録媒体の場合には、コンテンツの書き換えや追加等の変更がある度にラベルの貼り替えを行わなければならない。従って、その都度、ラベルを作成し直して貼り替えることになるが、何度も貼り替えを行っていると、前のラベルを完全に剥がせずに一部がディスクやカセットの表面に残ってしまうことがあり、また接着剤が残って汚れが付着する等によりディスクやカセットが見苦しくなる。特に、ディスク状記録媒体の場合には、ラベルの剥がし残りがあると、ディスクの中心に関する慣性モーメントに不均衡が生じ、回転時にブレが生じ易くなるという問題がある。尚、前記特許文献２のような回転印刷装置では、一般にディスクに対する重複印刷は不可能であり、書き換え可能なディスク状記録媒体に対するコンテンツ情報の印刷には適していない。
【０００５】
そこで、本発明は、前記ラベル貼着方式にみられる不具合に鑑みて、コンテンツ情報の印字領域を書き換え可能な構成としたディスク状記録媒体又はテープ状記録媒体カセットを提供することを目的として創作された。
【課題を解決するための手段】
【０００６】
本発明は、ディスク状記録媒体において、その盤面に、一定温度以上に加熱して常温へ戻す度に発色状態と消色状態とを繰り返す熱可逆性発色層、又は所定範囲の波長の光を照射する度に発色状態と消色状態とを繰り返す光可逆性発色層からなる印字領域を形成したことを特徴とするディスク状記録媒体に係る。また、テープ状記録媒体カセットにおいて、その表面に、前記熱可逆性発色層、又は前記光可逆性発色層からなる印字領域を形成したことを特徴とするテープ状記録媒体カセットに係る。
【０００７】
本発明によれば、ディスク状記録媒体及びテープ状記録媒体カセットの印字領域を熱可逆性発色層又は光可逆性発色層で形成したことにより、前記印字領域に対する加熱又は光照射の制御によって文字や図形等を繰り返して印字／消去することができる。特に、記録媒体に対するデータ記録システムに前記印字領域に対する印字用の熱記録装置又は光記録装置を設けておくことにより、操作入力によって作成した印字データだけでなく、記録データからコンテンツ情報を自動的に抽出し、それを印字データとして用いた印字も可能になる。
【発明の効果】
【０００８】
ディスク状記録媒体及びテープ状記録媒体カセットの印字領域に文字や図形等を繰り返して印字／消去することを可能にし、印字用の熱記録装置又は光記録装置を設けたデータ記録システム又は専用の印字システムを用いることにより、記録データの変更や追加に基づいて印字領域のコンテンツ情報に書き換えの必要性が生じた場合にも容易に対応できる記録媒体を提供する。
【発明を実施するための最良の形態】
【０００９】
以下、本発明のディスク状記録媒体及びテープ状記録媒体カセットの各実施形態を図面に基づいて詳細に説明する。
［実施形態１］
この実施形態はディスク状記録媒体に係るものであり、ここではＤＶＤ＋ＲＷ（以下、単に「ＤＶＤ」という）を例にとって説明する。先ず、図１（Ａ）はＤＶＤ１１の外観斜視図であり、盤面は情報領域１２と印字領域１３とで形成されている。ここに、情報領域１２は最内周側のリードイン領域１４と最外周側のリードアウト領域１５とそれら領域１４，１５の間のデータ記録領域１６とからなり、印字領域１３は前記リードイン領域１４とセンタホール１７との間に設けられている。
【００１０】
そして、この実施形態のＤＶＤ１１の特徴は、印字領域１３が熱可逆性発色層で形成されている点にある。具体的には、印字領域１３の断面図である図１（Ｂ）に示すように、基板部１１aと透明保護層１１bの間に熱可逆性発色層１８を介在させた構造になっている。また。図１（Ｃ）は印字領域１３の両面に熱可逆性発色層１８a，１８bを介在させた場合の構造であり、各熱可逆性発色層１８a，１８bを表裏面の透明保護層１１b，１１cで覆われているが、ＤＶＤ１１が片面にのみ情報領域を有するものである場合には、他方の面全体を印字領域とすることも可能である。
【００１１】
熱可逆性発色層１８，１８a，１８bの材料としては、樹脂母材である高分子マトリックス中に高級脂肪酸等の有機低分子物質を分散させ、温度に依存して透明状態と白濁状態とが可逆的に変化する材料（例えば、特開平5−169808号の可逆的過熱記録材料）が適用できる。この熱可逆性発色層１８，１８a，１８bの発色／消色特性は図２に示される。先ず、熱可逆性発色層１８，１８a，１８b内には熱エネルギを受けると結晶形態を変化させる性質を有した高級脂肪酸等の有機低分子物質が分散せしめられており、図２のＡで示す状態では大きな単結晶を形成しているために光は透過して透明に見えるが、Ｂで示す状態では多結晶となるために光が散乱して白濁状態に見える。
【００１２】
そして、温度−透過率の関係では、Ａの透明状態で加熱を施すと９０〜１００℃で白濁が始まり、その状態から常温まで冷却するとＢの完全な白濁状態で安定する。一方、Ｂの白濁状態から加熱すると８０℃付近で透明状態となり、その状態から常温まで冷却するとＡの透明状態へ戻って安定する。従って、熱可逆性発色層１８，１８a，１８bは、前記のように加熱温度を制御することで、発色（白濁）／消色（透明）状態を可逆的に行わせることができ、文字又は図形等を白濁させ、それ以外の背景を透明にする、又はその逆の状態にすることにより、情報を表示させることができる。
【００１３】
次に、前記ＤＶＤ１１を対象とするデータ記録再生システムのブロック回路図を図３に示す。このシステムは、本来のデータの記録／再生機能だけでなく、前記ＤＶＤ１１の印字領域１３に対してコンテンツ情報を印字する機能も備えており、ＤＶＤ１１に対する記録データから自動取得したコンテンツ情報、又は手動入力されたコンテンツ情報をＤＶＤ１１の印字領域１３に自動印字できるようになっている点に特徴がある。
【００１４】
このデータ記録再生システムは、放送信号を受信して電気的な信号処理を行う信号入出力処理部１１０と、ＤＶＤ１１に記録されているデータを読み出し、信号入出力処理部１１０が出力する信号をＤＶＤ１１へ書き込み、またＤＶＤ１１の印字領域１３に対する印字及び消去を行う記録再生部１２０と、システム全体を制御する制御部１３０と、操作部１４０と、通信部１５０と、モニタ１６０と、スピーカ１７０とで構成されている。
【００１５】
信号入出力処理部１１０は、所望のチャンネルの地上波放送、衛星放送（ＢＳ）、衛星通信（ＣＳ）等の放送信号を受信するチューナ部１１１と、チューナ部１１１から出力される放送信号や記録再生部１２０の光ピックアップ１２３aから出力される再生信号を目的別に画像／音声データ、データ放送データ、ＥＰＧ（Electronic Program Guide）データ等へ分離する信号処理部１１２と、信号処理部１１２から出力される画像／音声データに対してそれぞれ所要の処理を行う画像音声処理部１１３とからなる。
【００１６】
チューナ部１１１から出力された所望のチャンネルの放送信号は信号処理部１１２において前記各データに分離されるが、画像／音声データは画像音声処理部１１３へ、データ放送データやＥＰＧデータは制御部１３０へ出力される。放送信号がアナログ信号である場合、分離後の画像データがモニタ１６０で表示可能なビデオ信号であれば、信号処理部１１２はそのビデオ信号をモニタ１６０へ出力し、また分離後の音声データがスピーカ１７０で再生可能なオーディオ信号であれば、信号処理部１１２はそのオーディオ信号をスピーカ１７０へ出力する。画像音声処理部１１３は、例えば、信号処理部１１２が出力した画像／音声データがＩＳＯ／ＩＥＣ（the International Organization for Standerdization / the International Electrotechnical Commision）により定められているＭＰＥＧ−２（Moving Picture Experts Group phase 2）であった場合に、画像データをモニタ１６０が表示可能なビデオ信号へ、音声データをスピーカ１７０が再生可能なオーディオ信号へ変換し、それぞれモニタ１６０とスピーカ１７０へ出力する。尚、信号処理部１１２と画像音声処理部１１３は制御部１３０によって制御される。
【００１７】
記録再生部１２０は、通常のＤＶＤ記録再生装置の場合と同様に、ＤＶＤ１１のデータ記録領域１６に対してデータを記録し、またデータ記録領域１６からデータを読み出す光ピックアップ１２１aと、光ピックアップ１２１aを駆動させるための光ピックアップ駆動部１２１bと、ＤＶＤ１１を回転させるスピンドルモータ１２２aと、スピンドルモータ１２２aを駆動させるＳＰモータ駆動部１２２bとを有していると共に、ＤＶＤ１１に対する印字用の各機能部として、ＤＶＤ１１の印字領域１３へ印字するための印字ヘッド１２３aと、印字ヘッド１２３aを駆動させる印字ヘッド駆動部１２３bと、ＤＶＤ１１の印字領域１３に印字した情報を消去する消去ヘッド１２４aと、消去ヘッド１２４aを駆動させる消去ヘッド駆動部１２４bと、印字モード時にＤＶＤ１１の周縁部を３箇所で支持するローラ１２５a-1〜3と、ＤＶＤ１１の周縁部にローラ１２５a−1〜3を着脱させるためのローラ着脱駆動部１２５bと、ローラ１２５a−1の回転軸に設けられた減速機構１２６と、減速機構１２６を介してローラ１２５a−1を回転させる印字用モータ１２７aと、印字用モータ１２７aを駆動させる印字用モータ駆動部１２７bとを備えている。
【００１８】
印字ヘッド１２３a及び消去ヘッド１２４aは、ＤＶＤ１１の印字領域１３の幅に相当する区間に亘って多数の発熱素子を整列させたサーマルヘッドが用いられ、非印字状態ではＤＶＤ１１から離隔せしめられているが、印字時にはＤＶＤ１１の印字領域１３に所定ニップ圧でセットされるようになっており、その状態で各発熱素子に対して印字ヘッド駆動部１２３bから印字データに対応した選択的通電がなされる。尚、この実施形態においては、印字ヘッド１２３aと消去ヘッド１２４aがＤＶＤ１１の中心に対して対称な位置にある印字領域１３にセットされている。
【００１９】
３つのローラ１２５a-1〜3は、非印字状態においてはＤＶＤ１１の周縁部から離隔せしめられているが、印字時にはローラ着脱駆動部１２５bによってＤＶＤ１１の中心方向へ同時に移動せしめられてＤＶＤ１１の周縁部を支持する。また、印字時には、予めスピンドルモータ１２２aをアイドリング状態とし、その状態で印字用モータ駆動部１２７bが印字用モータ１２７aを駆動させることにより、減速機構１２６を介してローラ１２５a-1が回転せしめられる。従って、ＤＶＤ１１の印字領域１３に印字ヘッド１２３aと消去ヘッド１２４aが当接せしめられていても、ＤＶＤ１１を強力なトルクで回転させることができる。
【００２０】
制御部１３０は、マイクロコンピュータの構成を備え、内蔵メモリに各種プログラムや固定データを格納しており、ＣＰＵによってそれらのプログラムを実行することによりこのデータ記録再生システム全体を統括的に制御する。操作部１４０は表示部１４１と入力部１４２とからなる。表示部１４１は液晶ディスプレイであり、操作上必要となる各種情報や入力情報を表示する。入力部１４２は表示部１４１に取り付けられたタッチパネルとして構成されており、録画予約のための設定情報やＤＶＤ１１に対する印字情報の入力を行うために用いられる。また、通信部１５０はインターネットや他の映像機器と接続して画像／音声データやＥＰＧデータを取得する部分である。
【００２１】
以上の構成に基づいて、このデータ記録再生システムは、図４のフローチャートに示す手順でＤＶＤ１１に記録した番組データ等のコンテンツ情報をＤＶＤ１１の印字領域１３に印字する。先ず、ユーザによって設定された録画予約の録画開始時刻になった時、又は入力部１４２から記録開始の指示入力がなされると、信号処理部１１２から出力される書き込み信号に基づいて光ピックアップ駆動部１２１bが制御され、チューナ部１１１が受信している放送番組のコンテンツデータがＤＶＤ１１に記録される（S11）。そして、ユーザによって録画予約された放送番組が終了した時、又は入力部１４２から記録終了の指示入力がなされると、コンテンツデータの記録が終了する（S12）。
【００２２】
ここで、制御部１３０は、設定されていた録画予約情報や信号処理部１１２から得られるＥＰＧデータから印字すべきコンテンツ情報が検出されたか否かを確認する（S13）。そして、前記印字データが検出された場合に、制御部１３０は表示部１４１に印字データを前記記録データから自動取得するか否かの選択画面を表示させ、同画面で「自動取得する」の選択がなされると図５に示すような印字データ自動取得設定画面に切り換えて表示させる（S13〜S15）。ユーザは印字データ自動取得設定画面を見ながら入力部（タッチパネル）１４２で印字データを設定するが、録画予約情報より取得する場合には「日付／チャンネル」と「録画時間」の選択肢が、ＥＰＧより取得する場合には「番組名／日付／録画時間」と「ジャンル／チャンネル／出演者」の選択肢が設けられており、中央に設けられた４つのボタンの内の何れかを選択することで前記の各選択肢の中から１つを設定する。
【００２３】
一方、印字データが検出できなかった場合、又は印字データが検出できても自動取得を行わない場合には、入力部１４２から指示を行うことによって印字データ入力モードを設定でき、同モードが設定されると表示部１４１に図６に示す印字データ入力画面が表示せしめられる（S17）。ユーザは、印字データ入力画面で示される項目別に入力部１４２から文字入力を行って印字データを入力設定するが、図６に示すように個々の項目について印字のオン／オフを設定することもできる（S18）。
【００２４】
印字データの設定が完了すると、ユーザは入力部１４２から印字開始指示を与える（S19）。その指示入力に基づいて、制御部１３０は、ＳＰモータ駆動部１２２bを制御してスピンドルモータ１２２aをアイドリング状態に切り換えると共に、ローラ着脱駆動部１２５bを制御することにより、ＤＶＤ１１から離隔した状態にある各ローラ１２５a−1〜3を内側へ同時に移動させ、ＤＶＤ１１の周縁部を各ローラ１２５a−1〜3で把持させる（S20,S21）。
【００２５】
次に、制御部１３０は印字ヘッド駆動部１２３bと消去ヘッド駆動部１２４bを制御して印字ヘッド１２３aと消去ヘッド１２４aをＤＶＤ１１の印字領域１３にセットする（S22）。即ち、各ローラ１２５a−1〜3がＤＶＤ１１を把持した段階では、コンテンツデータの記録再生時にＤＶＤ１１をターンテーブルに固定しているクランパが解除されて印字領域１３の上側が開放された状態になっており、その開放された印字領域１３に対して印字ヘッド１２３aと消去ヘッド１２４aが所定ニップ圧で当接せしめられる。
【００２６】
各ヘッド１２３a，１２４aのセットが完了すると、制御部１３０は印字用モータ駆動部１２７bを制御して印字用モータ１２７aを回転させる（S23）。従って、減速機構１２６を介してローラ１２５a−1が回転せしめられ、ＤＶＤ１１は各ローラ１２５a−1〜3で把持された状態のまま回転するが、制御部１３０はその回転状態で消去ヘッド駆動部１２４bを制御して消去ヘッド１２４aの全発熱素子をオン（通電状態）にする。その結果、ＤＶＤ１１の回転に伴って印字領域１３が周方向へ順次過熱されてゆくが、その過熱温度は常に約８０℃になるように設定されており、印字領域１３の熱可逆性発色層１８は、Ｂの白濁状態が存在していても、図２で説明した消去特性に基づいてＡの透明状態となる。即ち、ＤＶＤ１１が１回転せしめられると、印字領域１３の印字情報が全て消去される（S23）。
【００２７】
前記印字情報の消去が完了すると、ＤＶＤ１１の回転を維持させたままデータの印字手順へ移行し、制御部１３０は、自動取得又は入力設定されて内蔵メモリに格納させてある印字データを印字ヘッド駆動部１２３bへ読出し、ＤＶＤ１１の回転速度と同期をとりながら、印字データに基づいて印字ヘッド１２３aの各発熱素子に対して選択的に通電させることによりＤＶＤ１１の印字領域１３の熱可逆性発色層１８に印字する（S24）。即ち、前記ステップS23で印字領域１３の全体が図２におけるＡの透明状態になっているが、印字領域１３の周方向に印字データの文字をドット構成する方式で各発熱素子に対する通電制御を実行し、各ドットを所要のタイミングで９０〜１００℃に加熱した後に常温に戻すことにより、文字を構成するドットを図２におけるＢの白濁状態に変化させる。従って、図６の設定データに基づいて印字がなされた場合には、図７に示すＤＶＤ１１の印字領域１３の文字部分が白濁線となり、他の部分が透明状態となるため、文字情報を視認させることができることになる。
【００２８】
そして、印字が終了すると、制御部１３０は、ローラ１２５a−1の回転を停止させ、印字ヘッド１２３aと消去ヘッド１２４aをＤＶＤ１１の印字領域１３に対する当接状態から解除させ、各ローラ１２５a−1〜3をＤＶＤ１１の周縁部から解除させた後、内蔵メモリの印字データをクリアする（S26）。尚、例えば、以前に記録した連続ドラマの続編を記録した時には、コンテンツ情報が既に印字領域１３に印字されており、それを変更する必要性が無いような場合も少なくないが、そのような場合には、ステップS19において印字開始指示を与えずに、印字取り消しの指示操作を行い、印字データが設定されていてもそれをクリアさせる（S19→S27,S28）。
【００２９】
［実施形態２］
この実施形態は、印字領域を光可逆性発色層で形成したＤＶＤに係り、図１を流用して説明すれば、印字領域１３において１８，１８a，１８bで示される層がフォトクロミック材で形成されている点に特徴がある。このフォトクロミック材は、化合物Ｘに対して波長λ1の光を照射することにより化合物Ｘ'に変換され、また化合物Ｘ'に波長λ2を照射することにより化合物Ｘに戻るという、可逆的な光異性化反応を示すものである。ここに、化合物Ｘと化合物Ｘ'はそれぞれ吸収スペクトルが異なる異性体であり、その透過率の差によって文字・画像情報を視覚的に表示させることができる。
【００３０】
そして、図８は前記光可逆性発色層を適用したＤＶＤ２１を対象とするデータ記録再生システムの記録再生部のブロック回路図を示す。この場合のデータ記録再生システムは、記録再生部１２０'を除いて実施形態１の構成と同様であり、ＤＶＤ２１の印字領域１３'が光可逆性発色層で形成されているために、記録再生部１２０'における印字ヘッド１２８aが波長λ1とλ2のレーザビームを切り換えて発射することができるレーザビーム発射部として構成されており、印字ヘッド駆動部１２８bがそれに対応したものになっている。また、実施形態１では、消去ヘッド１２４aとその駆動部１２４b、ローラ１２５a−1〜3とその着脱駆動部１２５b、減速機構１２６、印字用モータ１２７aとその駆動部１２７bが設けられているが、この実施形態ではそれらは不要である。
【００３１】
この実施形態では、コンテンツデータをＤＶＤ２１に記録した後に自動取得又は入力設定された印字データの印字開始指示があると、制御部１３０は、ＳＰモータ駆動部１２２bを介してスピンドルモータ１２２aを制御することでＤＶＤ２１の回転速度を一定の低速度とし、印字ヘッド駆動部１２８bを制御して、印字ヘッド１２８aを波長λ1のレーザビーム発射状態にしたままＤＶＤ２１の印字領域１３'を半径方向へ移動させる。それによって、印字領域１３'のフォトクロミック材は高透過率の化合物Ｘとなり、印字領域１３'にコンテンツ情報が記録されていてもその印字情報は全て消去される。
【００３２】
次に、印字データの印字開始へ移行するが、制御部１３０は、ＤＶＤ２１の回転速度を前記低速度に保ったまま、その回転速度と同期をとりながら、印字ヘッド駆動部１２８bを制御して、印字データに基づいた印字ヘッド１２８aのオン／オフと印字ヘッド１２８aの半径方向への移動を制御する。但し、この場合には、印字ヘッド１２８aが予め波長λ2のレーザビーム発射状態に切り換え設定されている。
【００３３】
そして、この実施形態では、印字領域１３'に対して文字をドット構成する方式で印字ヘッド１２８aを所要のタイミングでオン／オフ制御し、波長λ2のレーザビームが照射されて低透過率の化合物Ｘ'となったドットにより印字文字を構成する。即ち、この実施形態では、ＤＶＤ２１の印字領域１３'にレーザビームの照射制御によって高透過率の化合物Ｘの部分と低透過率の化合物のＸ'部分とを構成し、それによって文字情報を視認させるようになっている。
【００３４】
［実施形態３］
この実施形態は、テープ状記録媒体カセットであるＶＴＲカセットに熱可逆性発色層からなる印字領域を形成したものである。例えば、図９に示すように、従来のＶＴＲカセット３１におけるラベル貼着領域に相当する印字領域３２，３３を実施形態１で説明した熱可逆性発色層で形成する。
【００３５】
そして、図１０は前記ＶＴＲカセット３１を対象とするデータ記録再生システムのブロック回路図を示す。同図と図１とを比較すれば明らかなように、記録再生部２００を除いて実施形態１の構成と同様であるが、記録再生部２００がＶＴＲカセット３１に対応したビデオメカ部２０１とビデオヘッド部２０２を有していると共に、前記ＶＴＲカセット３１の印字領域３２に印字を行うための印字ヘッド２０３aとその駆動部２０３b、及び同領域３２に印字された印字情報を消去するための消去ヘッド２０４aとその駆動部２０４bを備えている点に特徴がある。
【００３６】
ここに、ビデオメカ部２０１はビデオテープを所定経路で走行させる部分であり、キャプスタンモータやシリンダモータやリールモータ等と共にテープエンドセンサ等の各種センサを備え、早送りや巻き戻し、録画、再生等の動作を実行する。また、ビデオヘッド部２０２はビデオテープに映像・音声信号を記録し、若しくはビデオテープから映像・音声信号を再生する部分であり、ドラムヘッドやコントロールヘッド等の各種ビデオヘッドで構成されている。
【００３７】
印字ヘッド２０３aと消去ヘッド２０４aについては、それぞれ実施形態１の場合と同様にサーマルヘッドが用いられ、各ヘッド２０３a，２０４aでは各発熱素子がＶＴＲカセット３１の印字領域３２の長手方向に対して垂直な方向に整列せしめられている。ＶＴＲカセット３１の印字領域３２に既に印字されている文字情報を消去する場合には、消去ヘッド駆動部２０４bにより、消去ヘッド２０４aの全発熱素子をオン状態とし、印字領域３２に摺接させながら同領域３２の長手方向へ走査する。また、前記印字領域３２にコンテンツ情報に係る文字を印字する場合には、印字ヘッド駆動部２０３bを制御することにより、印字ヘッド２０３aの各発熱素子を、その走査速度と同期をとりながら、自動取得又は入力設定された印字データに基づいて選択的にオン／オフ設定する。
【００３８】
従って、この実施形態では印字ヘッド２０３aと消去ヘッド２０４aをＶＴＲカセット３１の印字領域３２に沿って走査させながら印字／消去を行うことになるが、実施形態１の場合と同様の原理で、熱可逆性発色層で形成された印字領域３２にコンテンツ情報を印字することができる。尚、図１０ではＶＴＲカセット３１の印字領域３２を対象とした印字／消去機構を構成しているが、印字領域３３（図９）を対象とする印字／消去機構を構成してもよい。
【００３９】
［実施形態４］
この実施形態は、ＶＴＲカセットに光可逆性発色層からなる印字領域を形成したものであり、図９における印字領域３２，３３に実施形態２で説明したフォトクロミック材からなる層を形成する。
【００４０】
そして、そのＶＴＲカセットを対象とするデータ記録再生システムの記録再生部について、図１０を流用して説明すると、次のような構成となる。印字ヘッド２０３aと消去ヘッド２０４aは、それぞれ波長λ2の光及び波長λ1の光で発光するＬＥＤ（Light Emitting Diode）をＶＴＲカセット３１の印字領域３２の長手方向に対して垂直な方向に整列せしめた光記録ユニットとして構成され、印字ヘッド駆動部２０３bと消去ヘッド駆動部２０４bによって、印字ヘッド２０３aと消去ヘッド２０４aの移動とそれらの各ＬＥＤのオン／オフを行うようになっている。
【００４１】
従って、実施形態３の場合と比較すると、ＶＴＲカセットの印字領域３２が光可逆性発色層で形成されていることにより、印字ヘッド２０３aと消去ヘッド２０４aによる印字／消去方式がサーマルヘッドによる加熱方式から前記光記録ユニットによる光照射方式に変化しただけであり、原理的には実施形態３の場合と同様に印字領域３２への印字データに基づくドット印字を行うことができる。即ち、印字領域３２の既に印字されている文字を消去する場合には、消去ヘッド２０４aの全ＬＥＤを発光状態として、印字領域３２に摺接させながら同領域３２の長手方向へ走査し、印字領域３２にコンテンツ情報に係る文字を印字する場合には、印字ヘッド２０３aの各ＬＥＤを、走査速度と同期をとりながら、自動取得又は入力設定された印字データに基づいて選択的にオン／オフ設定する。
【産業上の利用可能性】
【００４２】
本発明は、記録形ＤＶＤやＣＤ-ＲＷ等の書き換え可能なディスク状記録媒体、及びＶＴＲカセット等のテープ状記録媒体カセットに適用できる。
【図面の簡単な説明】
【００４３】
【図１】（Ａ）は本発明のディスク状記録媒体の実施形態１に係るＤＶＤ＋ＲＷの外観斜視図、（Ｂ）は印字領域の断面図、（Ｃ）は印字領域の両面に熱可逆性発色層を介在させた場合の断面図である。
【図２】熱可逆性発色層の発色／消色特性を示すグラフである。
【図３】実施形態１に係るＤＶＤ＋ＲＷを対象とするデータ記録再生システムのブロック回路図である。
【図４】データ記録再生システムによるＤＶＤ＋ＲＷの印字領域に対するコンテンツ情報の印字手順を示すフローチャートである。
【図５】印字データ自動取得設定画面を示す図である。
【図６】印字データ入力画面を示す図である。
【図７】図６の印字データに基づいて印字領域に文字情報が印字された場合におけるＤＶＤ＋ＲＷの平面図である。
【図８】実施形態２に係るＤＶＤ＋ＲＷ（印字領域が光可逆性発色層）を対象とするデータ記録再生システムの記録再生部のブロック回路図である。
【図９】実施形態３に係るテープ状記録媒体カセット（ＶＴＲカセット）の外観斜視図である。
【図１０】図９のテープ状記録媒体カセット（ＶＴＲカセット）を対象とするデータ記録再生システムのブロック回路図である。
【符号の説明】
【００４４】
１１，２１…ＤＶＤ＋ＲＷ、１１a…基板部、１１b…透明保護層、１２…情報領域、１３，１３'，３２，３３…印字領域、１４…リードイン領域、１５…リードアウト領域、１６…データ記録領域、１７…センタホール、１８，１８a，１８b…熱可逆性発色層、３１…ＶＴＲカセット、１１０…信号入出力処理部、１１１…チューナ部、１１２…信号処理部、１１３…画像音声処理部、１２０，１２０'，２００…記録再生部、１２１a…光ピックアップ、１２１b…光ピックアップ駆動部、１２２a…スピンドルモータ、１２２b…ＳＰモータ駆動部、１２３a，１２８a，２０３a…印字ヘッド、１２２b，１２８b，２０３b…印字ヘッド駆動部、１２４a，２０４a…消去ヘッド、１２４b，２０４b…消去ヘッド駆動部、１２５a-1〜3…ローラ、１２６…減速機構、１２７a…印字用モータ、１２７b…印字用モータ駆動部、１３０…制御部、１４０…操作部、１４１…表示部、１４２…入力部、１５０…通信部、１６０…モニタ、１７０…スピーカ、２０１…ビデオメカ部、２０２…ビデオヘッド部。
【図１】
2006099815.tif 000003
【図２】
2006099815.tif 000004
【図３】
2006099815.tif 000005
【図４】
2006099815.tif 000006
【図５】
2006099815.tif 000007
【図６】
2006099815.tif 000008
【図７】
2006099815.tif 000009
【図８】
2006099815.tif 000010
【図９】
2006099815.tif 000011
【図１０】
2006099815.tif 000012